(57)【要約】【課題】  ユーザが楽曲等のプログラム情報を従来よりも長く時間試聴でき、楽曲を購入するか否かの判断を容易にさせることが可能な情報処理装置、情報処理方法、及び情報処理プログラム等を提供する。【解決手段】  本願の情報処理装置は、リクエストに応じてプログラム情報を放送する放送局に対して、ユーザにより指定されたプログラム情報のリクエストを示すリクエスト情報を送信するリクエスト情報送信手段と、前記リクエストに係るプログラム情報の放送が前記放送局において決定された場合に、当該放送局から送信された当該放送決定を示す放送決定情報を受信する放送決定情報受信手段と、前記受信された放送決定情報に基づいて、前記放送決定に係るプログラム情報を受信するための設定処理を行う受信設定処理手段と、を備える。【選択図】  図１
2008118165.tif 000002
【特許請求の範囲】
【請求項１】
リクエストに応じてプログラム情報を放送する放送局に対して、ユーザにより指定されたプログラム情報のリクエストを示すリクエスト情報を送信するリクエスト情報送信手段と、
前記リクエストに係るプログラム情報の放送が前記放送局において決定された場合に、当該放送局から送信された当該放送決定を示す放送決定情報を受信する放送決定情報受信手段と、
前記受信された放送決定情報に基づいて、前記放送決定に係るプログラム情報を受信するための設定処理を行う受信設定処理手段と、
を備えることを特徴とする情報処理装置。
【請求項２】
請求項１に記載の情報処理装置において、
前記リクエスト情報送信手段は、異なる複数の前記放送局に対して、前記リクエスト情報を送信し、
前記放送決定情報受信手段は、前記リクエスト情報を受信した前記複数の放送局のうち、前記リクエストに係るプログラム情報の放送を決定した複数の放送局から送信された夫々の前記放送決定情報を受信し、
前記受信設定処理手段は、前記受信された夫々の放送決定情報に基づいて、１つの前記放送局を決定し、当該決定した放送局から放送される前記放送決定に係るプログラム情報を受信するための設定処理を行うことを特徴とする情報処理装置。
【請求項３】
請求項２に記載の情報処理装置において、
前記受信設定処理手段は、前記リクエストに係るプログラム情報の放送を決定した複数の放送局のうち、前記ユーザによる利用頻度の高い１つの前記放送局を決定することを特徴とする情報処理装置。
【請求項４】
請求項１乃至３の何れか一項に記載の情報処理装置において、
前記放送局に対して前記リクエスト情報が送信された後、所定時間内に前記放送決定情報が受信されない場合、前記リクエスト情報送信手段は、前記放送局に対して、再度、前記リクエスト情報を送信することを特徴とする情報処理装置。
【請求項５】
請求項１乃至４の何れか一項に記載の情報処理装置において、
前記放送決定情報には、前記放送決定に係るプログラム情報の品質に関する品質情報が含まれており、
当該品質情報に基づいて、前記放送決定に係るプログラム情報を記録するか否かを判別する記録判別手段と、
前記記録判別手段により記録すると判別された場合に、受信された前記放送決定に係るプログラム情報を記録する記録手段と、
を更に備えることを特徴とする情報処理装置。
【請求項６】
リクエストに応じてプログラム情報を放送する放送局に対して、ユーザにより指定されたプログラム情報のリクエストを示すリクエスト情報を通信手段を介して送信する工程と、
前記リクエストに係るプログラム情報の放送が前記放送局において決定された場合に、当該放送局から送信された当該放送決定を示す放送決定情報を受信する工程と、
前記受信された放送決定情報に基づいて、前記放送決定に係るプログラム情報を受信するための設定処理を行う工程と、
を備えることを特徴とする情報処理方法。
【請求項７】
コンピュータを、
リクエストに応じてプログラム情報を放送する放送局に対して、ユーザにより指定されたプログラム情報のリクエストを示すリクエスト情報を送信し、
前記リクエストに係るプログラム情報の放送が前記放送局において決定された場合に、当該放送局から送信された当該放送決定を示す放送決定情報を受信し、
前記受信された放送決定情報に基づいて、前記放送決定に係るプログラム情報を受信するための設定処理を行うように機能させることを特徴とする情報処理プログラム。
【請求項８】
請求項７に記載の情報処理プログラムがコンピュータ読み取り可能に記録されていることを特徴とする記録媒体。
【発明の詳細な説明】
【技術分野】
【０００１】
本願は、楽曲等のプログラム情報の記録、再生を行うことが可能な情報記録再生装置等の技術分野に関する。
【背景技術】
【０００２】
近年、ＨＤ（Hard Disk）等の記録媒体の大容量化や、ＭＰ（MPEG Audio Layer）３、ＡＴＲＡＣ（Adaptive TRansform Acoustic Coding）３等のデータ圧縮技術の進展により、ユーザが、例えばオーディオ機器やパーソナルコンピュータ等を使用して、多くの楽曲（曲）を、一つのＨＤ等に記録して再生することが可能になっている。
【０００３】
特に、最近では、インターネット上で楽曲を販売するサイトが増えており、ユーザは、例えばオーディオ機器やパーソナルコンピュータ等を使用して、このようなサイトから楽曲を購入してダウンロードし、ＨＤに記録することが可能になっている。更に、そのようなサイトでは、一般に、ユーザが、楽曲を購入するか否かを容易に判断できるように、楽曲の試聴が可能になっている。
【０００４】
ところで、このようにＨＤに記録される曲数が多くなると、ユーザは、楽曲の再生順序を規定するプレイリストを作成、管理することが大変になるが、特許文献１には、インターネット上の所定のサイトから最新のヒットチャート情報を取得し、ＨＤに記録されている多くの楽曲を最新のヒットチャートの順に並び替える技術が開示されている。
【特許文献１】特開２００４−２８８３３０号公報
【発明の開示】
【発明が解決しようとする課題】
【０００５】
しかしながら、上述したような楽曲を販売するサイトにおける楽曲の試聴時間は、著作権等によって、１曲につき一律に３０秒程度に制限されているため、ユーザは、その楽曲を購入するか否かを判断することが困難な場合があり得る。
【０００６】
また、最新のヒットチャートの順に並び替える技術では、ユーザはヒットチャートにあってＨＤに記録されている楽曲について容易に聴くことができるものの、ヒットチャートにあるけれどもＨＤに記録されていない楽曲について容易に聴くことができないため、ユーザがそのような楽曲を購入するか否かを判断することが困難な場合があり得る。
【０００７】
そこで、本願は、このような問題の解消を一つの課題とし、ユーザが楽曲等のプログラム情報を従来よりも長く時間試聴でき、楽曲を購入するか否かの判断を容易にさせることが可能な情報処理装置、情報処理方法、及び情報処理プログラム等を提供することを目的する。
【課題を解決するための手段】
【０００８】
上記課題を解決するため、請求項１に記載の情報処理装置は、リクエストに応じてプログラム情報を放送する放送局に対して、ユーザにより指定されたプログラム情報のリクエストを示すリクエスト情報を送信するリクエスト情報送信手段と、前記リクエストに係るプログラム情報の放送が前記放送局において決定された場合に、当該放送局から送信された当該放送決定を示す放送決定情報を受信する放送決定情報受信手段と、前記受信された放送決定情報に基づいて、前記放送決定に係るプログラム情報を受信するための設定処理を行う受信設定処理手段と、を備えることを特徴とする。
【０００９】
請求項６に記載の情報処理方法は、リクエストに応じてプログラム情報を放送する放送局に対して、ユーザにより指定されたプログラム情報のリクエストを示すリクエスト情報を通信手段を介して送信する工程と、前記リクエストに係るプログラム情報の放送が前記放送局において決定された場合に、当該放送局から送信された当該放送決定を示す放送決定情報を受信する工程と、前記受信された放送決定情報に基づいて、前記放送決定に係るプログラム情報を受信するための設定処理を行う工程と、を備えることを特徴とする。
【００１０】
請求項７に記載の情報処理プログラムは、コンピュータを、リクエストに応じてプログラム情報を放送する放送局に対して、ユーザにより指定されたプログラム情報のリクエストを示すリクエスト情報を送信し、前記リクエストに係るプログラム情報の放送が前記放送局において決定された場合に、当該放送局から送信された当該放送決定を示す放送決定情報を受信し、前記受信された放送決定情報に基づいて、前記放送決定に係るプログラム情報を受信するための設定処理を行うように機能させることを特徴とする。
【００１１】
請求項８に記載の記録媒体は、請求項７に記載の情報処理プログラムがコンピュータ読み取り可能に記録されていることを特徴とする。
【発明を実施するための最良の形態】
【００１２】
以下、本願の最良の実施形態を添付図面に基づいて説明する。なお、以下に説明する実施の形態は、情報記録再生装置に対して本願を適用した場合の実施形態である。
【００１３】
先ず、図１等を参照して、本実施形態における情報記録再生装置の構成及び機能について説明する。
【００１４】
図１は、本実施形態における情報記録再生装置の概要構成例を示す図である。
【００１５】
図１に示すように、情報記録再生装置１は、複数のチューナ１１ａ乃至１１ｃ、ソース選択部１２、ＨＤ（Hard Disk）ドライブ１３、再生出力処理部１４、スピーカ１５、ネットワーク接続処理部１６、表示・操作部１７、及びシステム制御部１８等を備えて構成されている。
【００１６】
チューナ１１ａは、ＴＶ（テレビジョン）放送局２１から放送された放送信号（放送電波）をアンテナ１０ａを介して受信し、その受信信号から当該放送局２１に対応するチャンネルにおける音声信号を抽出し、当該音声信号を復調してソース選択部１２に出力する。
【００１７】
チューナ１１ｂは、ラジオ放送局２２から放送された放送信号（放送電波）をアンテナ１０ｂを介して受信し、その受信信号から当該放送局２２に対応するチャンネルにおける音声信号を抽出し、当該音声信号を復調してソース選択部１２に出力する。
【００１８】
チューナ１１ｃは、有線放送局２３から放送された放送信号を専用回線１０ｃを介して受信し、その受信信号から当該放送局２３に対応するチャンネルにおける音声信号を抽出し、当該音声信号を復調してソース選択部１２に出力する。
【００１９】
ここで、本実施形態において、ＴＶ放送局２１、ラジオ放送局２２、及び有線放送局２３は、何れも聴者からのリクエストに応じて楽曲（プログラム情報の一例）を放送（配信）する放送局であり、夫々の放送局は、図示しないが、当該楽曲を放送（配信）するための放送装置（配信装置）と、インターネット２５を介して情報記録再生装置１からの電子メールの受信及び情報記録再生装置１への電子メールの送信を行うメールサーバ（ＰＯＰ３サーバ及びＳＭＴＰサーバ）と、当該メールサーバから電子メールを取得してリクエストを集計し、当該集計結果に基づいて放送するべき楽曲を決定する処理を行う放送楽曲決定処理装置と、を備えている。
【００２０】
なお、本実施形態においては、一例としてＴＶ放送局２１、ラジオ放送局２２、及び有線放送局２３を例にとったが、リクエストに応じて楽曲（プログラム情報の一例）を放送する放送局は、これらに限定されるものではなく、ＣＡＴＶ（ケーブルテレビジョン）放送局や、インターネット上で楽曲を放送（配信）するインターネット放送局（配信サーバを有する）等様々な放送局から放送された放送波や放送信号（配信信号）を受信するように構成しても良い。
【００２１】
また、図１の例では、ＴＶ放送局２１、ラジオ放送局２２、及び有線放送局２３のように、夫々一つずつ放送局を示しているが、実際には、ＴＶ放送局、ラジオ放送局、及び有線放送局としては、夫々、チャンネル毎に多数の放送局（例えば、チャンネル「１１１」のＴＶ放送局、チャンネル「２００」のＴＶ放送局等）が存在することになる。
【００２２】
ソース選択部１２は、システム制御部１８からのソース選択指令の下、ＴＶ放送局２１、ラジオ放送局２２、有線放送局２３、及びＨＤドライブ１３のソースうちの何れかのソースを選択、言い換えれば、チューナ１１ａ乃至１１ｃ、及びＨＤドライブ１３のうちの何れかを選択し、チューナ１１ａ乃至１１ｃから出力された音声信号、及びＨＤドライブ１３から出力された音声信号のうちの何れかの音声信号を再生出力処理部１４に出力するようになっている。
【００２３】
なお、ＣＤ（Compact Disc），ＤＶＤ（Digital Versatile Disc），ＭＤ（Mini Disc）等の記録媒体に記録された楽曲を再生するディスク再生部を情報記録再生装置１に備えさせ、当該ディスク再生部から出力された音声信号をもソース選択部１２が選択出力するように構成しても良い。
【００２４】
ＨＤドライブ１３は、バッファメモリ及びＨＤを備えており、システム制御部１８の制御の下、ソース選択部１２から出力された音声信号に含まれる楽曲のデータをＨＤに記録したり、或いは、ＨＤに記録された楽曲のデータを読み出しその音声信号をソース選択部１２に出力するようになっている。
【００２５】
再生出力処理部１４は、デコーダ、ＤＡＣ（Digital-to-Analog Converter）、及びＡＭＰ（Amplifier）等を備えており、ソース選択部１２から出力された音声信号の再生出力処理を行う。例えば、ソース選択部１２から出力された音声信号がデジタル音声信号である場合には、そのデジタル音声信号（更に圧縮されたデジタル音声信号の場合にはデコーダにてデコードする）をＤＡＣによりアナログ音声信号に変換し、変換されたアナログ音声信号をＡＭＰにより増幅して出力する。一方、ソース選択部１３から出力された音声信号がアナログ音声信号である場合には、そのアナログ音声信号をＡＭＰにより増幅して出力する。こうして、再生出力処理部１４から出力された音声信号は、スピーカ１５から音波として外部に出力される。
【００２６】
ネットワーク接続処理部１６は、システム制御部１８による制御の下、通信手段の一例としてのインターネット２５への接続処理（例えば、ＩＳＰ（インターネットサービスプロバイダ）のサーバに対して接続要求が行われ認証処理を経てインターネット２５に接続）を行うようになっている。
【００２７】
表示・操作部１７は、例えば、ユーザから各種操作指示を入力するための操作ボタンが設けられており、ユーザによって押下された操作ボタンに対応する操作信号がシステム制御部１８に出力されるようになっている。また、表示・操作部１７は、各種情報を表示する表示パネルを有している。
【００２８】
システム制御部１８は、ＣＰＵ（Central Processing Unit），ＲＡＭ（Random Access Memory），各種データ及びプログラム（本願の情報処理プログラム、電子メール処理プログラム、及びブラウザプログラムを含む）を記憶するＲＯＭ（Read Only Memory）等を備え、ＣＰＵが例えばＲＯＭに記憶されているプログラム等を読み出して実行することにより、情報記録再生装置１全体を統括制御すると共に、本願のリクエスト情報送信手段、放送決定情報受信手段、及び受信処理設定手段等として機能するようになっている。
【００２９】
具体的には、システム制御部１８は、リクエスト情報送信手段として、ＴＶ放送局２１、ラジオ放送局２２、及び有線放送局２３の全部又は一部の放送局に対して、ユーザにより指定された楽曲のリクエストを示すリクエスト情報を通信手段の一例としてのインターネット２５を介して送信（例えば、電子メールで送信）し、当該リクエストに係る楽曲の放送が当該放送局において決定された場合に、当該放送局から当該情報記録再生装置１に対してインターネット２５を介して送信（返信）された当該放送決定を示す放送決定情報を、放送決定情報受信手段として受信（例えば、ＩＳＰのメールサーバを介して電子メールで受信）する。そして、システム制御部１８は、受信処理設定手段として、受信された放送決定情報（例えば、楽曲のタイトル、アーティスト名、チャンネル、楽曲の放送開始時刻、及び演奏時間等が含まれる）に基づいて、放送決定に係る楽曲の受信処理に必要な設定（例えば、チャンネル選択設定、ソース選択設定等）を行うようになっている。
【００３０】
また、システム制御部１８は、Ｗｅｂブラウザとしても機能するようになっており、ユーザからの表示・操作部１７を介した指示に従って、当該Ｗｅｂブラウザ機能によりネットワーク接続処理部１６を介してインターネット２５に接続されたＷｅｂサーバ（例えば、楽曲に関する情報を情報提供サーバ）２６にアクセス（ＷｅｂサーバのＵＲＬ（Uniform Resource Locator）を指定してアクセス）し、楽曲のヒットチャートリストや電子番組表等のデータ（例えば、ＨＴＭＬファイル）を取得して表示・操作部１７における表示パネルの表示画面上に表示するようになっている。
【００３１】
次に、図２乃至図４等を参照して、本実施形態における情報記録再生装置１の動作について説明する。
【００３２】
図２は、システム制御部１８におけるメインルーチンを示すフローチャートであり、図３は、システム制御部１８における楽曲リクエスト処理を示すフローチャートであり、図４は、システム制御部１８におけるリクエスト楽曲受信処理を示すフローチャートである。
【００３３】
図２の処理において、ユーザが表示・操作部１７における楽曲リクエスト指示に対応する操作ボタンを押下すると、システム制御部１８は、これに応じ（ステップＳ１：Ｙ）、図３に示す楽曲リクエスト処理に移行する（ステップＳ４）。
【００３４】
また、ユーザが表示・操作部１７におけるリクエスト楽曲受信指示に対応する操作ボタンを押下すると、システム制御部１８は、これに応じ（ステップＳ２：Ｙ）、図４に示すリクエスト楽曲受信処理に移行する（ステップＳ５）。
【００３５】
ステップＳ３では、情報記録再生装置１におけるその他の機能に基づく様々な動作が行われるが、本願と直接の関係がないので詳しい説明を省略する。
【００３６】
図３に示す楽曲リクエスト処理では、先ず、システム制御部１８は、例えばネットワーク接続処理部１６及びインターネット２５を介してＷｅｂサーバ２５から電子番組表のデータを取得し（ステップＳ１１）、現在から所定期間（例えば、３日間）内に、リクエストに応じて楽曲を放送（配信）する番組（つまり、利用可能な番組）があるか否かを判別する（ステップＳ１２）。例えば、電子番組表のデータには、番組のタイトル、内容、ジャンル、及び放送時間帯等の情報が含まれている他、リクエストに応じて楽曲を放送（配信）する番組であるか否かを示す情報が含まれており、これにより、システム制御部１８は、リクエストに応じて楽曲を放送（配信）する番組（現在放送中の番組、若しくは将来放送予定の番組）を検索する。
【００３７】
そして、リクエストに応じて楽曲を放送（配信）する番組がある場合には（ステップＳ１２：Ｙ）、システム制御部１８は、当該番組及びその番組を放送する放送局を特定（ステップＳ１３）、記憶し、ステップＳ１４に移行する。なお、例えば、ＴＶ放送局２１及びラジオ放送局２２というように、複数の放送局が特定されることもあり得る。
【００３８】
一方、リクエストに応じて楽曲を放送（配信）する番組がない場合には（ステップＳ１２：Ｎ）、システム制御部１８は、利用可能な番組がない旨を、表示・操作部１７における表示パネルの表示画面上に表示させ（ステップＳ１９）、図２に示す処理に戻る。
【００３９】
ステップＳ１４では、システム制御部１８は、例えばネットワーク接続処理部１６及びインターネット２５を介してＷｅｂサーバ２５から楽曲の最新のヒットチャートリストのデータを取得し、それを、表示・操作部１７における表示パネルの表示画面上に表示させ、ユーザからの楽曲の指定を待つ（ステップＳ１５）。
【００４０】
こうして表示されたヒットチャートリストには、例えば売上順に、１位から数十位までの楽曲のタイトル、アーティスト名、及び演奏時間等の情報が選択可能に表示されており、ユーザが操作ボタンを操作してリクエストしたい楽曲を指定（例えば、リクエストしたい楽曲のタイトル等にカーソルを合わせて実行ボタンを押下）すると、システム制御部１８は、これに応じ（ステップＳ１５：Ｙ）、ユーザにより指定された楽曲のタイトル及びアーティスト名等を特定し（ステップＳ１６）、記憶する。
【００４１】
次いで、システム制御部１８は、上記特定された放送局の電子メールアドレスを、例えば、ＨＤに予め記録されていた放送局の電子メールアドレスリストから取得すると共に、上記特定された楽曲のタイトル、アーティスト名、及び番組名等が記述されたリクエスト情報を含む電子メールを生成し（ステップＳ１７）、当該電子メールをネットワーク接続処理部１６及びインターネット２５を介して当該放送局に対して送信し（ステップＳ１８）、図２に示す処理に戻る。なお、本実施形態においては、上記ステップＳ１３において複数の放送局が特定された場合、その複数の放送局に対して電子メールが送信されることになる。また、放送局に対してリクエスト情報を含む電子メールが送信された後所定時間（例えば、２４時間）内に放送決定情報を含む電子メールが例えば１つも受信されない場合、システム制御部１８は、当該放送局に対して、再度、リクエスト情報を含む電子メールを送信するように構成しても良い。
【００４２】
一方、上記電子メールを受信（メールサーバにより）した放送局（例えば、ラジオ放送局２２）においては、放送楽曲決定処理装置が一定時間（例えば、１分）毎にメールサーバにアクセスして、受信された電子メールを取得し、電子メールに記述された番組毎に、リクエストに係る楽曲のタイトル及びアーティスト名を集計して、リクエストに係る楽曲のうち放送する楽曲を決定すると共に、当該決定された楽曲の放送開始時刻を決定する。ここで、どのような楽曲が決定されるかは、特に限定されるものではないが、例えばリクエスト数が所定数以上の楽曲、或いは、売上が大きい楽曲、或いは、その楽曲を放送する番組の関係者等が所望する楽曲等が放送決定される。
【００４３】
このように、リクエストに係る楽曲の放送が例えばラジオ放送局２２において決定された場合に、当該放送局２２の放送楽曲決定処理装置は、放送決定した楽曲のリクエストを行った情報記録再生装置１からの電子メールを特定すると共に、その電子メールに、上記放送決定した楽曲のタイトル、アーティスト名、当該楽曲を放送するチャンネル、当該楽曲の放送開始時刻、及び演奏時間等を含む放送決定情報を記述して、当該電子メールをインターネット２５を介して情報記録再生装置１に返信する。
【００４４】
また、放送決定した楽曲のタイトル、アーティスト名、及び当該楽曲の放送開始時刻等の情報は、放送楽曲決定処理装置から放送装置に送られ、放送装置は、その放送開始時刻に到達した場合に、所定のチャンネルで当該楽曲のデータを変調しその放送信号を放送することになる。
【００４５】
図４に示すリクエスト楽曲受信処理では、先ず、システム制御部１８は、例えばネットワーク接続処理部１６及びインターネット２５を介してＷｅｂサーバ２５から電子番組表のデータを取得し（ステップＳ２１）、現在から所定期間（例えば、３日間）内に、リクエストに応じて楽曲を放送（配信）する番組（つまり、利用可能な番組）があるか否かを判別する（ステップＳ２２）。
【００４６】
そして、リクエストに応じて楽曲を放送（配信）する番組がある場合には（ステップＳ２２：Ｙ）、システム制御部１８は、当該番組及びその番組を放送する放送局を特定し（ステップＳ２３）、ステップＳ２４に移行する。
【００４７】
一方、リクエストに応じて楽曲を放送（配信）する番組がない場合には（ステップＳ２２：Ｎ）、システム制御部１８は、利用可能な番組がない旨を、表示・操作部１７における表示パネルの表示画面上に表示させ（ステップＳ３１）、図２に示す処理に戻る。
【００４８】
ステップＳ２４では、システム制御部１８は、当該特定した放送局からの電子メールが受信されているか否かを判別する。例えば、システム制御部１８は、ネットワーク接続処理部１６を介してＩＳＰのメールサーバから全ての電子メールを取得して、上記ステップＳ２３で特定した放送局からの電子メールを検索する。
【００４９】
そして、当該特定した放送局からの電子メールが受信されている場合には（ステップＳ２４：Ｙ）、システム制御部１８は、受信された電子メールが１つであるか否かを判別し（ステップＳ２５）、１つである場合には（ステップＳ２５：Ｙ）、当該電子メールを送信した放送局を決定し（ステップＳ２６）、ステップＳ２８に移行する。なお、特定した放送局からの電子メールが受信されていない場合には（ステップＳ２４：Ｎ）、ステップＳ２１に戻る（つまり、利用可能な番組があれば、電子メールの受信を待つ状態となる）。
【００５０】
一方、受信した電子メールが１つでない場合、つまり複数の放送局からの電子メールが受信されていた場合には（ステップＳ２５：Ｎ）、それらの電子メールに記述された放送決定情報に基づいて、複数の放送局のうち１つの放送局を決定し（ステップＳ２７）、ステップＳ２８に移行する。例えば、それらの複数の放送局から放送される予定の楽曲の放送開始時刻が比較され、最も早い（つまり、現在に近い）放送局が決定される。
【００５１】
或いは、それらの複数の放送局のユーザによる利用頻度が比較され、最も利用頻度が高い放送局が決定される。例えば、ユーザの操作履歴として、放送局毎に当該放送局に対応するチャンネルが設定されている状態の積算時間がＨＤ等に記録されるようにし、所定期間（例えば過去一週間）以内に最も積算時間が長い放送局が最も利用頻度が高い放送局として決定される。
【００５２】
ステップＳ２８では、システム制御部１８は、上記決定した放送局から放送される放送決定に係る楽曲の受信処理に必要な設定、例えば、チャンネル選択設定、ソース選択設定等の各種設定を行う。例えば、システム制御部１８は、上記決定された放送局からの放送信号を受信するチューナ（チューナ１１ａ乃至１１ｃの何れか）を選択設定すると共に当該放送局に対応するチャンネルの選択設定を行い、チャンネル選択指令を選択設定したチューナに対して与え、チューナ選択指令（ソース選択指令）をソース選択部１２に対して与える。これにより、リクエストに係る楽曲が上記決定された放送局から放送された場合に、その楽曲のデータが含まれる音声信号がチューナにより抽出され、ソース選択部１２から再生出力処理部１４に出力される。
【００５３】
なお、このような設定は、放送決定情報に含まれる楽曲の放送開始時刻の数分前に実行されるように構成してもよい。
【００５４】
また、このとき、システム制御部１８は、放送決定情報に含まれる楽曲の放送開始時刻及び演奏時間に従って、録音（記録）予約設定を行うようにしても良い。
【００５５】
そして、上記楽曲の放送開始時間が到来した場合には（ステップＳ２９：Ｙ）、システム制御部１８は、再生出力処理部１４を制御してソース選択部１２から出力された音声信号に含まれる楽曲の再生処理を行い、また、録音（記録）予約設定がなされている場合には、ＨＤドライブ１３を制御して当該楽曲の記録処理を行い（ステップＳ３０）、これが終了すると図２に示す処理に戻る。これにより、放送局から放送されたリクエストに係る楽曲がスピーカ１５から出力され、また、当該楽曲がＨＤドライブ１３におけるＨＤに記録されることになる。
【００５６】
以上説明したように、上記実施形態によれば、リクエストに応じて楽曲を放送（配信）する放送局に対して、ユーザが所望する楽曲のリクエストを示すリクエスト情報を送信して、その楽曲の放送が決定された場合に放送局から送信された放送決定を示す放送決定情報を受信して、当該楽曲の受信処理に必要な設定を行うようにしたので、ユーザは所望の楽曲を容易に長く試聴でき、その楽曲を購入するか否かを容易に判断する（楽曲を購入する際の助けとなる）ことができる。また、放送された楽曲をＨＤに記録することもできるので、その楽曲をお気に入りのプレイリストに登録することもできる。
【００５７】
また、上述したように、ユーザは、取得したヒットチャートリストに表示された楽曲をリクエストすることができるので、ヒットチャートリストを有効に活用することができる。
【００５８】
なお、上記実施形態において、放送局から送信される放送決定情報には、放送決定に係る楽曲の品質に関する品質情報が含まれるように構成し、システム制御部１８は、当該品質情報に基づいて、記録判別手段として、上記放送決定に係る楽曲を記録（録音）するか否かを判別し、記録すると判別された場合に、記録手段として、上記受信された放送決定に係る楽曲をＨＤドライブ１３を制御してＨＤに記録させるように構成しても良い。例えば、品質情報の例としては、放送される楽曲が完全であるか否か（例えば、楽曲のサビ部分のみ、楽曲の１番のみ等であった場合、完全でない）を示す情報や、放送される楽曲がデジタルであるか否かを示す情報が挙げられる。そして、例えば、放送される楽曲が完全である場合、又はデジタルである場合等には、記録すると判別される（つまり、録音して残しておくに値する楽曲である）。
【００５９】
また、上記実施形態においては、ユーザが操作ボタンを操作してリクエストしたい楽曲をヒットチャートリストから指定するように構成したが、これに限定されるものではなく、例えば、ヒットしていない楽曲、或いは、未発売（これから発売予定）の楽曲を指定するものであっても良い。未発売の楽曲の放送決定がなされれば、ユーザは、楽曲の発売前にその楽曲を購入予約するか否かの判断を容易にすることができる。
【００６０】
また、上記実施形態においては、プログラム情報として楽曲を例にとって説明したが、これに限定されるものではなく、例えば、映像のみ、映像と音声に対して適用しても良い。この場合、情報記録再生装置に映像処理部及びディスプレイ等が備えられ、ユーザにより指定された例えば、所望の映画や、映像付きの楽曲等のリクエストを示すリクエスト情報が放送局に対して送信されることになり、当該映画等の放送が決定された場合に、当該放送局からの放送決定情報が受信され、当該放送決定情報に基づき、放送決定に係る映画等を受信するための設定処理が行われることになる。
【図面の簡単な説明】
【００６１】
【図１】本実施形態における情報記録再生装置の概要構成例を示す図である。
【図２】システム制御部１８におけるメインルーチンを示すフローチャートである。
【図３】システム制御部１８における楽曲リクエスト処理を示すフローチャートである。
【図４】システム制御部１８におけるリクエスト楽曲受信処理を示すフローチャートである。
【符号の説明】
【００６２】
１  情報記録再生装置
１１ａ〜１１ｄ  チューナ
１２  ソース選択部
１３  ＨＤドライブ
１４  再生出力処理部
１５  スピーカ
１６  ネットワーク接続処理部
１７  表示・操作部
１８  システム制御部
【図１】
2008118165.tif 000003
【図２】
2008118165.tif 000004
【図３】
2008118165.tif 000005
【図４】
2008118165.tif 000006